(57)【要約】【課題】開閉扉の動きが斬新で趣向性が高い上、遊技盤面の設計の自由度が大きいパチンコ機を提供する。【解決手段】パチンコ機１の前面には、各種の部材および多数の障害釘９，９・・を設けた遊技盤４が設置されている。また、遊技盤４の表面には、発射装置によって発射された遊技球を遊技盤４の上方まで導くためのガイドレール８が円弧状に立設されており、当該ガイドレール８によって、略円形の遊技領域１０が区画された状態になっている。そして、当該遊技領域１０の右下方には、遊技盤４の表面側を流下した遊技球を入賞口へ導くための導球部材１５と、前後方向にスライドすることにより導球部材１５の入賞口を開閉する開閉扉１４とが設けられている。また、導球部材１５の遊技球受け面が、前側から後側にかけて下向きに傾斜した状態になっている。【選択図】図１
2009247746.tif 000002
【特許請求の範囲】
【請求項１】
入賞口を有する入賞装置および多数の障害釘を設けた遊技盤が前面に設けられており、前記入賞口に遊技球が入賞した場合に、賞品球として所定数の遊技球が払い出されるパチンコ機であって、
前記遊技盤の表面側を流下した遊技球を入賞口へ導くための導球部材と、
前後方向にスライドすることにより前記導球部材の開口部を開閉する開閉扉とが前記遊技盤の表面に設けられているとともに、
前記導球部材の遊技球受け面が、前側から後側にかけて所定の角度で下向きに傾斜した状態になっていることを特徴とするパチンコ機。
【請求項２】
前記開閉扉の上面が、水平方向に対して所定の角度をなすように傾斜した状態になっていることを特徴とする請求項１に記載のパチンコ機。
【請求項３】
前記導球部材が透明な合成樹脂によって形成されていることを特徴とする請求項１、または２に記載のパチンコ機。
【請求項４】
所定の条件の充足によって通常と異なる特別な遊技状態を生起させ、その特別な遊技状態において前記開閉扉を開成させることを特徴とする請求項１〜３のいずれかに記載のパチンコ機。
【発明の詳細な説明】
【技術分野】
【０００１】
本発明は、パチンコ機に関するものである。
【背景技術】
【０００２】
遊技機の一例であるパチンコ機として、図柄始動口に遊技球が入賞した場合に、内部で抽選を実施し、その抽選の結果、大当たりとなった場合（乱数カウンタが所定の数値を選択した場合）には、図柄表示装置に所定の大当たり図柄（たとえば、「７，７，７」）を表示するとともに、大当たり状態を生起させ、大入賞口の開閉扉を所定回数だけ断続的に開成させて、遊技者に多くの賞品球を払い出すもの（所謂、図柄合わせタイプのパチンコ機）が知られている。また、図柄合わせタイプのパチンコ機の中には、大当たり生起後に遊技球を遊技領域の右サイドに強く打ち込むことによって特典が得られるように構成された所謂“右打ち”タイプのパチンコ機がある。そして、上記した図柄合わせタイプのパチンコ機における大入賞口の開閉扉としては、専ら、幅広な板状に形成されており下端縁を中心として前方に片開きするものが利用されている。
【０００３】
【特許文献１】特開２００１−３４６９６１号公報
【発明の開示】
【発明が解決しようとする課題】
【０００４】
しかしながら、上記の如く、下端縁を中心として前方に片開きする開閉扉を設けたパチンコ機は、開閉扉の動きが非常にありふれたものであるため、看者に陳腐なイメージを与えてしまう。また、上記した前方に片開きする開閉扉を設けたパチンコ機は、流下した遊技球が開成した開閉扉の上で弾んで大入賞口内に入賞しない、という事態が起こり易い。さらに、上記した前方に片開きする開閉扉を設けたパチンコ機は、製造時に遊技盤面上の部材をレイアウトする際に、開閉扉を遊技盤の左右の端縁際に配置すると、前方に片開きした開閉扉と遊技部材やガイドレールとの間で球詰まりを起こしてしまうため、右打ちタイプのものでも、開閉扉と遊技盤の端縁との間に所定量の隙間を設けなければならない。加えて、開閉扉を傾斜させて設置すると、流下した遊技球が開成した開閉扉の上で弾んで大入賞口内に入賞しない、という傾向がより顕著なものとなる。それゆえ、遊技盤面の設計が大幅に制約される、という不具合がある。
【０００５】
本発明の目的は、開閉扉の動きが斬新で趣向性が高く、開成した開閉扉の上で遊技球が弾んで入賞口内に入賞しないという事態が起こりにくい上、遊技盤面の設計の自由度が大きいパチンコ機を提供することにある。
【課題を解決するための手段】
【０００６】
本発明の内、請求項１に記載された発明は、入賞口を有する入賞装置および多数の障害釘を設けた遊技盤が前面に設けられており、前記入賞口に遊技球が入賞した場合に、賞品球として所定数の遊技球が払い出されるパチンコ機であって、前記遊技盤の表面側を流下した遊技球を入賞口へ導くための導球部材と、前後方向にスライドすることにより前記導球部材の開口部を開閉する開閉扉とが前記遊技盤の表面に設けられているとともに、前記導球部材の遊技球受け面が、前側から後側にかけて所定の角度で下向きに傾斜した状態になっていることを特徴とするものである。なお、所定の角度とは、１０°以上８０°以下の任意の角度のことである。
【０００７】
請求項２に記載された発明は、請求項１に記載された発明において、前記開閉扉の上面が、水平方向に対して所定の角度をなすように傾斜した状態になっていることを特徴とするものである。なお、所定の角度とは、１０°以上６０°以下の任意の角度のことである。
【０００８】
請求項３に記載された発明は、請求項１、または請求項２に記載された発明において、前記導球部材が透明な合成樹脂によって形成されていることを特徴とするものである。
【０００９】
請求項４に記載された発明は、請求項１〜３のいずれかに記載された発明において、所定の条件の充足によって通常と異なる特別な遊技状態を生起させ、その特別な遊技状態において前記開閉扉を開成させることを特徴とするものである。
【発明の効果】
【００１０】
請求項１のパチンコ機は、開閉扉が前後方向にスライドすることにより導球部材の開口部を開閉するものであるので、開閉扉の作動態様が斬新で趣向性が高い。また、開成した開閉扉の上で遊技球が弾んで入賞口へ入賞しないという事態が起こりにくく、導球部材の遊技球受け面が傾斜するように設置した場合でも、同様の効果を奏することができる。また、開閉扉の開成時には開閉扉が遊技盤内に没入するため、開閉扉と遊技部材あるいはガイドレールとの間で球詰まりを起こす心配がない。それゆえ、導球部材および開閉扉を遊技領域内のどの位置にでも設置することができるので、遊技盤面の設計の自由度が高く、容易に趣向性を向上させることが可能である。
【００１１】
請求項２のパチンコ機は、開閉扉の上面が傾斜した状態になっているため、閉じた開閉扉の上に遊技球が滞留する、という事態が生じない。
【００１２】
請求項３のパチンコ機は、導球部材が透明な合成樹脂によって形成されているため、導球部材に導かれた遊技球が遊技者の視界から消えないので、遊技者に不信感を抱かせて遊技に対する意欲を消失させる事態が生じない。
【００１３】
請求項４のパチンコ機は、所定の条件が充足されることによって生起した特別な遊技状態において遊技球が開閉扉に当たって入賞口に入らないという事態が非常に起こりにくく、高い確率で遊技球を入賞口へ入賞させることが可能である。したがって、請求項３のパチンコ機によれば、遊技者の遊技に対する意欲を高く保持することができる。
【発明を実施するための最良の形態】
【００１４】
以下、本発明のパチンコ機について、図面にしたがって詳細に説明する。図１は、本発明に係るパチンコ機を示したものであり、パチンコ機１は、機枠２の片側縁に、前面枠３が開閉自在に蝶着されており、前面枠３の中央よりやや上側の後方には、遊技盤４が設置されている。遊技盤４の表面には、発射装置（図示せず）によって発射された遊技球を遊技盤４の上方まで導くための金属製で帯状のガイドレール８が円弧状に立設されており、当該ガイドレール８によって、略円形の遊技領域１０が区画された状態になっている。
【００１５】
また、遊技領域１０には、大型遊技部材１１が設置されており、各種の装飾を施した装飾板３３が、遊技盤４の表面と所定の距離（遊技球の直径以上の距離）を隔てて平行に対峙するように設けられている。大型遊技部材１１の略中央には、液晶画面を有する図柄表示装置１９が設置されている。また、図柄表示装置１９の上側には、傾斜した板状の扉部材３４が、遊技盤４の表面から出没するように前後にスライド可能に設けられており、遊技盤４の当該扉部材３４の下側に相当する位置には、大入賞口３５が穿設されている。さらに、大入賞口３５の前方には、透明な合成樹脂製の窓部材３６が、遊技盤４の表面と所定の距離（遊技球の直径以上の距離）を隔てて平行に対峙するように設けられており、扉部材３４の下面、窓部材３６の裏面、装飾板３３の外周面、および遊技盤４の表面によって閉じた空間が形成された状態になっている。加えて、図柄表示装置１９の下側には、遊技球を載置可能なステージ１２が設けられており、そのステージ１２の下側には、後述する図柄始動口２１へ遊技球を導くための挿通孔１３が設けられている。さらに、大型遊技部材１１の右下には、入賞装置１７が設置されている。
【００１６】
図２（ａ）は、入賞装置１７の正面図であり、図２（ｂ）は、図２（ａ）におけるＡ−Ａ線端面図である。また、図３〜図５は、それぞれ、入賞装置１７の左側面、平面図、前方斜視図である。入賞装置１７は、遊技盤４に当着させるための当着板２４、当着板２４に設けられた導球部材１５の開口部を開閉するための開閉扉１４、および開閉扉１４を作動させるための作動部１８等によって構成されている。
【００１７】
当着板２４は、透明な合成樹脂によって一体的に形成されており、前面には、導球部材１５が前方に突出するように設けられている。導球部材１５は、底面部２５の左右の端縁から、それぞれ、左側面部２６、右側面部２７を上方に突出させた形状を有しており、底面部２５の上端縁、左側面部２６および右側面部２７の内端縁によって、略Ｕ字状の受け皿が形成された状態になっている。かかる受け皿の上面が、入賞装置１７へ遊技球を入賞させるための開口部として機能する。また、右側面部２７の上端際には、段差２３が設けられている。さらに、底面部２５は、図２（ｂ）の如く、基端側（後側）に幅広な平板状の減速部３９が設けられており、先端側（前側）に傾斜状の遊技球受け部４０が設けられている。そして、遊技球受け部４０の上側には、前側から後側にかけて水平方向に対して約４５°の角度をなすように下向きに傾斜した幅広な帯状の遊技球受け面３８が形成されている。また、減速部３９の上面および遊技球受け面３８は、左側から右側にかけて上向きに傾斜した状態（水平方向に対して約３０°の角度をなすように上向きに傾斜した状態）になっている。なお、遊技球受け部４０の下側には、凹凸状の装飾が施されている。さらに、当着板２４の導球部材１５の内側に相当する部分には、略台形状の入賞口２０が穿設されている。
【００１８】
また、当着板２４の裏側には、開閉扉１４を作動させるための作動部材であるソレノイド２８が、ハウジング内に収納された状態で設置されている。また、ソレノイド２８の下側には、当着板２４の入賞口２０から入賞した遊技球を検出する検出手段である検出器２９が、ハウジング内に収納された状態で設置されている。
【００１９】
一方、開閉扉１４は、横長な平板状に形成されており、左前方に切り欠き３０が形成されている。また、開閉扉１４の下面には、幅広な帯状の把持片３１が開閉扉１４の幅方向と直交するように一体的に立設されている。さらに、開閉扉１４の下面の左右両端際には、開閉扉１４をスライドさせる際の滑りを良好なものとするための易滑片３２ａ，３２ｂが、前後方向に沿って一体的に立設されている。かかる開閉扉１４は、左右の端縁（易滑片３２ａ，３２ｂ）を、ぞれぞれ、導球部材１５の左側面部２６の上面および右側面部２７の段差２３に載置させ、入賞口２０の上端際に嵌め込まれた状態で、導球部材１５の上側に位置するように設置されている。そして、水平方向に対して約２５°の角度をなすように傾斜した状態になっている。さらに、開閉扉１４の把持片３１の後端は、ソレノイド２８のシリンダーに固着されている。そして、開閉扉１４は、ソレノイド２８のシリンダーの前後動に伴って、前後にスライドするようになっている。
【００２０】
上記の如く構成された入賞装置１７は、遊技盤に穿設された設置孔（図示せず）に嵌め込まれ、当着板２４を遊技盤４の表面に当着させた状態で、遊技領域１０の右下隅に設置されている。また、図１の如く、遊技領域１０には、大型遊技部材１１や入賞装置１７の他に、図柄始動口２１、電動開閉式入賞装置（所謂、電動式チューリップ）２２、ゲート３７、電飾ランプ、風車等が設置されているとともに、多数の障害釘９，９・・等が植設されている。一方、前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００２１】
上記の如く構成されたパチンコ機１においては、発射ハンドル７の回動操作によって発射装置（図示せず）から遊技球が発射され、発射された遊技球が図柄始動口２１に入賞した場合に、内部に設置された制御装置において大当たり抽選が実行され、大当たり抽選の結果、「大当たり」になった場合には、「大当たり状態」が生起する。また、遊技球が図柄始動口２１に入賞する毎に、入賞図柄表示装置１９においては所定の時間だけ図柄の変動表示を実行し、当該変動表示の後に「大当たり図柄」あるいは「はずれ図柄」を表示することによって大当たり抽選の結果を表示する。
【００２２】
「大当たり状態」においては、大入賞口３５の扉部材３４が所定回数だけ断続的に開成する（後方へスライドして遊技盤４の内部に没入する）。したがって、遊技者は、「大当たり」が発生した場合には、多くの遊技球を大入賞口３５に入賞させることによって、多くの賞品球を獲得することができる。
【００２３】
また、所定の「大当たり図柄」が表示された後に「大当たり状態」が生起した場合には、「大当たり状態」の終了後に、入賞図柄表示装置１９における図柄の変動表示の時間を所定の回数だけ短縮する「時短状態」が生起する。当該「時短状態」においては、遊技球がゲート３７を通過する毎に、内部に設置された制御装置において当たり抽選が実行され、その当たり抽選において高い確率で小当たりとなり、電動開閉式入賞装置２２が開成する。そして、開成した電動開閉式入賞装置２２に遊技球が入賞した場合に、入賞装置１７が開成する。入賞装置１７の開成は、ソレノイドへの電源投入によりシリンダーが後方へスライドし、そのスライドに連動して、開閉扉１４が後方へスライドし、遊技盤４内に没入することによって行われる。その開閉扉１４の没入によって、導球部材１５の上面（開口部）が露出した状態となるため、上方から流下した遊技球（すなわち、大型遊技部材１１の右側を流下した遊技球）は、すべて導球部材１５によって受け止められて、入賞口２０内に導かれ、入賞球として検出される。なお、流下した遊技球が入賞口２０内に入る際には、遊技球受け面３８で後方へ方向を変えられた遊技球の勢いが減速部３９上で減速された後に入賞口２０内へ入賞する。したがって、遊技者は、「時短状態」が発生した場合には、発射ハンドル７を大きく回動させて遊技球を強く発射して右サイドの入賞装置１７の入賞口２０に入賞させることによって、「大当たり状態」の生起によって得られた遊技球の数を大きく変動させることなく遊技を継続させることが可能となる。
【００２４】
パチンコ機１は、上記の如く、開閉扉１４が前後方向にスライドすることにより導球部材１５の入賞口２０を開閉するものであるので、開閉扉１４の作動態様が斬新で趣向性が高い。また、導球部材１５の遊技球受け面３８が、前側から後側にかけて傾斜した状態になっているため、当該遊技球受け面３８が左右方向にも傾斜しているにも拘わらず、開成した開閉扉１４の上で遊技球が弾んで入賞口２０へ入賞しない、という事態が起こりにくい。さらに、開閉扉１４が遊技領域１０の右端に設置されているにも拘わらず、開閉扉１４の開成時には開閉扉１４が遊技盤４内に没入するため、開閉扉１４と遊技部材あるいはガイドレール８との間で球詰まりを起こす心配がない。
【００２５】
また、パチンコ機１は、開閉扉１４の上面が、水平方向に対して約２５°傾斜しているため、閉じた開閉扉１４の上に遊技球が滞留する、という事態が生じない。
【００２６】
さらに、パチンコ機１は、導球部材１５が透明な合成樹脂によって形成されているため、導球部材１５に導かれた遊技球が入賞口２０に入賞するまで遊技者の視界から消えないので、遊技者に不信感を抱かせて遊技に対する意欲を消失させる事態が生じない。
【００２７】
加えて、パチンコ機１は、開閉扉１４が前後方向にスライドすることにより入賞口２０を開閉するものであるため、「時短状態」生起時に遊技球が開閉扉１４に当たって入賞口２０に入らないという事態が非常に起こりにくく、高い確率で遊技球を入賞口２０へ入賞させることが可能である。したがって、パチンコ機１によれば、遊技者の遊技に対する意欲を高く保持することができる。
【００２８】
なお、本発明のパチンコ機の構成は、上記実施形態の態様に何ら限定されるものではなく、機枠、前面枠、遊技盤、供給皿、貯留皿、発射ハンドル、遊技部材、開閉扉、導球部材、図柄表示装置、入賞装置、図柄始動口、電動開閉式入賞装置、入賞口、大入賞口等の形状、構造、材質等の構成を、本発明の趣旨を逸脱しない範囲で適宜変更できる。たとえば、開閉扉は、上記実施形態の如く、ソレノイドによって開閉作動を行うものに限定されず、ステッピングモータ等によって開閉作動を行うもの等でも良い。
【００２９】
また、上記実施形態の如く、導球部材の底面部の基端に減速部を設ける場合には、当該減速部の幅（前後の幅）を遊技球の半径以上の長さ（約５．５ｍｍ以上）にすると、遊技球受け面で跳ね返った遊技球の勢いを効果的に低減できるので好ましく、７〜１０ｍｍの長さにすると、製造が安価で容易なものとなる上、遊技球の勢いを不必要に減殺することなく、遊技球を入賞口内部に設けられた通過口（遊技盤を穿設することによって形成されたもの）内へスムーズに導き入れることができるものとなるので、特に好ましい。
【図面の簡単な説明】
【００３０】
【図１】パチンコ機の正面図である。
【図２】入賞装置を示す説明図である（ａは正面図であり、ｂはａにおけるＡ−Ａ線端面図である）。
【図３】入賞装置の右側面図である。
【図４】入賞装置の平面図である。
【図５】入賞装置の前方斜視図である。
【符号の説明】
【００３１】
１・・パチンコ機
４・・遊技盤
７・・発射ハンドル
１０・・遊技領域
１４・・開閉扉
１５・・導球部材
１７・・入賞装置
２０・・入賞口
３８・・遊技球受け面
【図１】
2009247746.tif 000003
【図２】
2009247746.tif 000004
【図３】
2009247746.tif 000005
【図４】
2009247746.tif 000006
【図５】
2009247746.tif 000007